(57)【要約】【課題】供給された原稿の画像を原稿の搬送途中で読み取って所定の記憶領域に記憶すると共に記憶された画像情報を出力する原稿読取装置に関し，特に，安価な原稿読取装置で出力時に生じる記憶した画像の欠けを防止することのできる原稿読取装置を提供すること。【解決手段】  前記第２の搬送壁部材と，該第２の搬送壁部材が前記シート搬送路を挟んで対向する壁部材とに設けられ，相互に弾性的に当接した状態で回転してシートを搬送する弾性搬送ローラ対を備え，前記第２の搬送壁部材が閉じられるときに，前記搬送ローラ対が当接することで第２の搬送壁部材が閉じ方向に回動駆動されるようにした。【選択図】図１
2011211526.tif 000002
【特許請求の範囲】
【請求項１】
搬送される原稿の位置を主走査方向の読取最大幅の中央に設定する原稿ガイドを備え，
供給された原稿の画像を原稿の搬送途中で読み取り，読み取られた画像に対応する画像情報を所定の画像情報記憶手段内に設定された記憶領域の前記原稿ガイドで規制された読取最大幅の中央に記憶すると共に，上記画像情報記憶手段に記憶された画像情報を出力する原稿読取装置であって，
予め定められた原稿の種類を記憶する基本原稿記憶手段と，
供給される原稿の種類を入力する原稿種類入力手段と，
原稿の種類に応じた原稿のサイズを記憶する原稿サイズ情報記憶手段と，
主走査方向の幅が異なる複数種類の原稿を混ぜて搬送することを示す混載情報を入力する混載情報入力手段と，
搬送される原稿の副走査方向の幅を検知する搬送方向幅検知手段と，
原稿の副走査方向の幅に対応する原稿の種類を記憶する原稿情報記憶手段と，
前記混載情報入力手段によって混載情報が入力された場合に，前記原稿種類入力手段によって入力された原稿の種類と，前記基本原稿記憶手段に記憶された原稿の種類とに基づいて，これらの原稿の種類に対応するサイズを前記原稿サイズ情報記憶手段から取得し，取得したサイズに基づいて決定される供給が予想される最大サイズの前記記憶領域を前記画像情報記憶手段内に確保する記憶領域設定手段と，
を備えた原稿読取装置において，
前記混載情報入力手段によって混載情報が入力された場合に，前記搬送方向幅検知手段によって搬送される原稿の副走査方向の幅を検知すると共に，検知された原稿の副走査方向の幅に基づいて前記原稿情報記憶手段に記憶された原稿の種類を検知し，検知された原稿の種類に基づいて前記原稿サイズ情報記憶手段から検知される原稿のサイズに従って，前記記憶領域設定手段によって設定された前記記憶領域から実際に搬送された原稿の領域を切り取って出力することを特徴とする原稿読取装置。
【請求項２】
前記搬送方向幅検知手段によって搬送される原稿の副走査方向の幅を検知し，検知された原稿の副走査方向の幅に基づいて前記原稿情報記憶手段に記憶された原稿の種類を検知し記憶することを，各原稿の読み取り毎に行い，検知された原稿の種類に基づいて前記原稿サイズ情報記憶手段から検知される原稿のサイズに従って，前記記憶領域設定手段によって設定された前記記憶領域から実際に搬送された原稿の領域を切り取って出力することを，全ての原稿についての読み取りが終了した後に行うようにした請求項１に記載の原稿読取装置。
【請求項３】
請求項１あるいは２に記載の原稿読取装置を備えた画像形成装置。
【発明の詳細な説明】
【技術分野】
【０００１】
本発明は，供給された原稿の画像を原稿の搬送途中で読み取って所定の記憶領域に記憶すると共に記憶された画像情報を出力する原稿読取装置に関し，特に，安価な原稿読取装置で出力時に生じる記憶した画像の欠けを防止することのできる原稿読取装置に関するものである。
【背景技術】
【０００２】
複写機，プリンタやファクシミリあるいはこれらの複合機といった画像形成装置，あるいはスキャナなどに用いられる原稿読取装置には種々のものがあるが，搬送される原稿を搬送途中で読み取るために原稿の位置を主走査方向の読取最大幅の中央に設定する原稿ガイドを備えてなる比較的安価な原稿読取装置では，次のような問題点がある。
【０００３】
原稿読取装置は，原稿をデジタルデータとして読み取ると共に，読み取った画像データを出力するためのものである。このように画像データを出力するためには，読み取った原稿データから必要な部分を切り取って出力することが行われる。このような画像の切り取りのためには，読み取られた画像のどの部分から切り取るかを予め決めておかないと切り取れない。
【０００４】
このような原稿画像の切り取りを行うためには，読み取られる原稿のサイズと，そのようなサイズの原稿がどの位置に記憶力されるかが分っている必要がある。読み取られる原稿のサイズを知るために，上記のような原稿読取装置では，読み取ろうとする原稿の種類を読み取り操作の前に入力する。例えば，既定の原稿種については，原稿の種類とその搬送方向をＡ４とかＡ４Ｒとかの記号で入力することはよく知られた方法である。
またそのような読み取られた画像が，記憶領域のどこに記憶されているかを知らないと実際の切り取りは行うことができない。そのため，例えば原稿を原稿台の上端部に沿わせて載置し，光走査部を走行させることでこの載置された原稿を読み取る場合には，原稿を置く位置が原稿台の上端部などに沿った常時定まった位置となっているので，上記原稿台の上端部に相当する部分を基準として画像データの切り取りが行われる。
一方，この発明が目的とする比較的安価な原稿読取装置では，読取装置の小型化を考慮して，前記のように原稿を走行させ，その搬送の途中で原稿の読み取りが行われる。また，このような搬送の途中で原稿の読み取りが行われる原稿読取装置では，前記原稿台上に原稿を載置する場合と異なり，原稿台の上端部といった場所に搬送される原稿を誘導することは非常に難しいので，原稿を載置する原稿トレイに，搬送される原稿の位置を主走査方向の読取最大幅の中央に設定する原稿搬送ガイド（以下，原稿ガイドという）を備えている。このような原稿ガイドを備えた原稿読取装置は周知であるので，詳細な説明は省略する。なお，原稿ガイドは，搬送する原稿の主走査方向のガイドとして，原稿の搬送方向に乱れが生じないようにするためにも重要な役目を果たす。
【０００５】
また周知な通り，上記のような「搬送される原稿の位置を主走査方向の読取最大幅の中央に設定する原稿ガイド」を用いる場合には，原稿の読み取りの位置的基準となるのは，搬送される原稿の主走査方向の読取最大幅の中央位置であり，この中央位置を基準として，前記のように予め入力されたＡ４やＡ４Ｒの原稿のサイズとその方向に関する情報に基づいて，原稿画像が記憶されている領域が算出されるので，原稿読取装置は，このように算出された画像領域を切り取って出力することができる。
【０００６】
上記のように，従来の原稿読取装置では，Ａ４やＡ４Ｒといった記号を入力することで，原稿種とその方向が入力されると，読み込まれた画像データから，原稿の画像データが前記原稿ガイドで規制される原稿の主走査方向中央位置を基準とするＡ４やＡ４Ｒのサイズの領域が切り取られる。
従って，実際に搬送された原稿が，入力されたＡ４やＡ４Ｒといったサイズであった場合には，読み取り記憶された画像領域と，Ａ４やＡ４Ｒといった入力記号に対応する画像領域とが正確に一致するので，読み取られた画像は欠損なく出力される。
【０００７】
ところが，読み取られる原稿は，いつも上記のような操作者が適確に入力するものに限らない場合がある。その例として，多種サイズの原稿を混ぜて原稿読取装置に供給する混載という方法がある。
これはＡ４ＲとＢ５Ｒの原稿を混ぜて供給するような場合である。この場合には，そもそも，実際に読み込まれた画像の領域が変動するので，原稿データの正確な切りとりが極めて難しい。
更に，原稿の規格には，Ｆｏｌｉｏ（フォリオ）と呼ばれる規格があり，この場合については，特に難しい。
Ｆｏｌｉｏは南米などにおいて用いられる用紙の規格であるが，そのサイズについて幅は定められているものの，その範囲では操作者が種々設定可能である。
例えばＦｏｌｉｏサイズとして，主走査方向を２００ｍｍ〜２２０ｍｍ，副走査方向を３３０ｍｍ〜３５６ｍｍの間の数値に設定できるようにした例がある。
このように同じ規格でもサイズが異なる場合があることを想定して，従来の原稿読取装置では，操作者が特定の原稿規格については，そのサイズを自由に登録することができるようになっている。このような原稿サイズの登録は，いわゆるメンテナンスモードにおいて操作者が入力することによって行われ，登録内容は所定の記憶手段に記憶される。
本発明では，上記供給される原稿の種類を入力する手段を原稿種類入力手段と呼び，原稿の種類に応じた原稿のサイズを記憶する手段を原稿サイズ情報記憶手段と呼んでいる。
【０００８】
図で説明すると，図１は，一例としてＡ４Ｒのサイズ（２１０ｍｍ×２９７ｍｍ）と，２２０ｍｍ×３３０ｍｍのＦｏｌｉｏサイズを並べて表示したものである。
原稿読取装置では，上記の混載のように異なるサイズの原稿を一連に読み取る場合には，まず，読み取った画像を記憶する記憶領域を確保する必要がある。
この時，搬送方向の原稿長も参照される。そのために，従来の原稿読取装置では，原稿を載置する原稿台に原稿によって押される（あるいは光線がカットされる）ことにより原稿の搬送方向長さを検出する副走査方向長さ検出手段が設けられている。
また上記副走査方向長さ検出手段で検出された原稿の副走査方向の長さに対応する原稿の種別は，前記原稿サイズ情報記憶手段の記憶内容から分るので，実際に供給された原稿のサイズは，上記副走査方向長さ検出手段による検出結果から検出される。
原稿副走査方向長さ検出手段も従来周知であるので説明を要しない。
【０００９】
たとえば，メンテナンスモードでＦｏｌｉｏサイズを２２０ｍｍ×３３０ｍｍと設定した場合に，主走査方向の幅が異なる複数種類の原稿を混ぜて搬送することを示す混載情報が入力されると，原稿読取装置は，原稿サイズ情報記憶手段に予め記憶された複数の原稿サイズに基づいて決定される供給が予想される最大サイズの前記記憶領域を前記画像情報記憶手段内に確保する。このような機能を達成する手段を本発明では記憶領域設定手段と呼んでいる。また，混載であることを示す情報（混載情報と呼ぶ）を入力するタッチパネルなどの入力手段は，混載情報入力手段と呼ばれる。
前記Ａ４やＡ４Ｒといった原稿種は，常時用いられる読取対象であるから，予め定められた原稿の種類を記憶する記憶手段（基本原稿記憶手段と呼ぶ）に記憶されており，これに対応して原稿サイズ情報記憶手段からそれらの方向性を伴った原稿サイズが取得される。
【００１０】
理解を容易にするために，使用する原稿読取装置の扱う原稿種をＡ４，Ａ４Ｒ及びＦｏｌｉｏに限定した場合を考える。前記のようにＦｏｌｉｏが２２０ｍｍ×３３０ｍｍと設定された場合，混載での原稿供給が設定（混載情報入力手段による）されると，Ａ４，Ａ４Ｒ及びＦｏｌｉｏのうちもっとも大きいのはＦｏｌｉｏであるから，供給しうる最大サイズは，Ｆｏｌｉｏであることが分る。
図２（ａ）は，記憶領域設定手段によって確保された混載最大サイズのＦｏｌｉｏ（２２０ｍｍ×３３０ｍｍ）のサイズに対応して確保された記憶領域Ｆを示す。
また，同様の趣旨からセットした原稿の主走査幅を基に１ランク大きいサイズの定型原稿を設定する一例が，特許文献１に開示されている。
【先行技術文献】
【特許文献】
【００１１】
【特許文献１】特開２００７−６７７２１号公報
【発明の概要】
【発明が解決しようとする課題】
【００１２】
ところで，前記のように，この原稿読取装置では，原稿が原稿ガイドによって搬送される最大サイズの主走査方向中央を基準として読み取られた原稿の画像がその位置に記憶される。
ここでもし混載と指定されながら，Ｆｏｌｉｏサイズではなく，Ａ４サイズの原稿のみが供給された場合を考えると，原稿の副走査方向（搬送方向）の長さは，前記副走査方向長さ検出手段によって検出され，この検出された原稿の副走査方向の長さに対応する読取原稿の記憶領域Ａは，図２（ｂ）に破線示すとおり，予め記憶領域設定手段によって確保された領域Ｆより狭いものとなる．
【００１３】
こうして原稿読取装置は，混載が指定されているために，Ｆｏｌｉｏサイズを考慮して最大サイズの領域Ｆを確保するが，原稿読取装置は，副走査方向長さ検出手段によって検出された実際の原稿サイズに基づいて，上記図２（ｂ）に示す領域Ｆから，図２（ｃ）に出力箇所として示す領域Ｃを切り取ることになる。この時，切り取られる画像領域は，Ｆｏｌｉｏサイズの原稿が供給されたことを想定して想定して設定された原稿領域の片端部Ｇを基準とする片寄った領域である。即ち，（ｂ）に示す，実際に画像が記憶された領域Ａと切り取られる画像領域Ｃとは副走査方向にずれている。そのため，図２（ｃ）に示すように，実際に画像が記憶された領域のうち，切り取られる領域から外れた部分Ｈは印刷されない，即ち，画像の欠けが発生する。
【００１４】
また，別の事例として，Ｆｏｌｉｏサイズを２００ｍｍ×３３０ｍｍと登録した場合を考える。
この場合，記憶領域設定手段は，予め標準仕様として設定され，記憶されているＡ４Ｒ（２１０ｍｍ×２９７ｍｍ）とＦｏｌｉｏ（２００ｍｍ×３３０ｍｍ）の情報から，混載の場合の最大記憶領域Ｆとして図２（ｄ）に示す２１０ｍｍ×３３０ｍｍを確保する。
そして実際にＦｏｌｉｏ原稿が読み込まれると，原稿読取装置は，副走査方向長さ検出手段によって実際に搬送されているのはＦｏｌｉｏであると判断し，Ｆｏｌｉｏについて設定された主走査方向の幅（２００ｍｍ）から，図２（ｅ）に破線で示すような領域Ａに読み取ったＦｏｌｉｏの画像を記憶するが，ここでも出力用に切り取られるのは主走査方向の最大幅の原稿領域の片端部Ｇを基準として偏った領域Ｃである。即ち，図２（ｆ）に示すように，実際に画像が記憶された領域Ａと切り取られる画像領域Ｃとは主走査方向にずれている。そのため，図２（ｆ）に示すように，実際に画像が記憶された領域Ａのうち，切り取られる領域Ｃから外れた部分Ｈは印刷されない，即ち，画像の欠けが発生する。
このようなことは，前記したＦｏｌｉｏの場合のみでなく，読み取りサイズをＡ４Ｒとして設定下にもかかわらず，実際にはたとえばＢ４Ｒの原稿を読み込んだ場合のように，設定された読取原稿のサイズが実際に読み取られた原稿サイズと異なる場合に生じる不都合である。
【００１５】
本発明は，上記実情に鑑みてなされたものであり，設定された読取原稿のサイズが実際に読み取られた原稿サイズと異なる場合に生じる画像の欠けといった不都合の生じない原稿読取装置を提供することを課題とする。
【課題を解決するための手段】
【００１６】
上記課題を解決するために本発明に係る原稿読取装置は，
搬送される原稿の位置を主走査方向の読取最大幅の中央に設定する原稿ガイドを備え，
供給された原稿の画像を原稿の搬送途中で読み取り，読み取られた画像に対応する画像情報を所定の画像情報記憶手段内に設定された記憶領域の前記原稿ガイドで規制された読取最大幅の中央に記憶すると共に，上記画像情報記憶手段に記憶された画像情報を出力する原稿読取装置であって，
予め定められた原稿の種類を記憶する基本原稿記憶手段と，
供給される原稿の種類を入力する原稿種類入力手段と，
原稿の種類に応じた原稿のサイズを記憶する原稿サイズ情報記憶手段と，
主走査方向の幅が異なる複数種類の原稿を混ぜて搬送することを示す混載情報を入力する混載情報入力手段と，
搬送される原稿の副走査方向の幅を検知する搬送方向幅検知手段と，
原稿の副走査方向の幅に対応する原稿の種類を記憶する原稿情報記憶手段と，
前記混載情報入力手段によって混載情報が入力された場合に，前記原稿種類入力手段によって入力された原稿の種類と，前記基本原稿記憶手段に記憶された原稿の種類とに基づいて，これらの原稿の種類に対応するサイズを前記原稿サイズ情報記憶手段から取得し，取得したサイズに基づいて決定される供給が予想される最大サイズの前記記憶領域を前記画像情報記憶手段内に確保する記憶領域設定手段と，
を備えた原稿読取装置において，
前記混載情報入力手段によって混載情報が入力された場合に，前記搬送方向幅検知手段によって搬送される原稿の副走査方向の幅を検知すると共に，検知された原稿の副走査方向の幅に基づいて前記原稿情報記憶手段に記憶された原稿の種類を検知し，検知された原稿の種類に基づいて前記原稿サイズ情報記憶手段から検知される原稿のサイズに従って，前記記憶領域設定手段によって設定された前記記憶領域から実際に搬送された原稿の領域を切り取って出力することを特徴とする原稿読取装置として構成されている。
上記構成によれば，前記混載情報入力手段によって混載情報が入力された場合に，前記搬送方向幅検知手段によって搬送される原稿の副走査方向の幅を検知すると共に，検知された原稿の副走査方向の幅に基づいて前記原稿情報記憶手段に記憶された原稿の種類を検知し，検知された原稿の種類に基づいて前記原稿サイズ情報記憶手段から検知される原稿のサイズに従って，前記記憶領域設定手段によって設定された前記記憶領域から実際に搬送された原稿の領域を切り取って出力する。従って，従来の技術におけるような前記最大サイズで記憶された領域の端部を基準として原稿の領域を切り取るのではなく，実際に検知された搬送途中の原稿サイズに対応した領域を切り取るので，画像欠けを起す恐れがまったく生じない。
また，原稿の読込に要する時間と原稿の切り取りに要する時間の合計が原稿搬送に要する時間より長い場合には，前記搬送方向幅検知手段によって搬送される原稿の副走査方向の幅を検知し，検知された原稿の副走査方向の幅に基づいて前記原稿情報記憶手段に記憶された原稿の種類を検知し記憶することを，各原稿の読み取り毎に行い，検知された原稿の種類に基づいて前記原稿サイズ情報記憶手段から検知される原稿のサイズに従って，前記記憶領域設定手段によって設定された前記記憶領域から実際に搬送された原稿の領域を切り取って出力することを，全ての原稿についての読み取りが終了した後に行うようにすることが望ましい。
このようにすることで，無駄な待ち時間が生じない。
上記のような原稿読取装置は，複写機，ファクシミリなどの画像形成装置やスキャナなどの画像処理装置，あるいはそれらの複合機に適用可能である。
【発明の効果】
【００１７】
上述の如く，本発明によれば，従来の技術におけるような前記最大サイズで記憶された領域の端部を基準として原稿の領域を切り取るのではなく，実際に検知された搬送途中の原稿サイズに対応した領域を切り取るので，画像の欠けを起す恐れがまったく生じない原稿読取装置を提供することができる。
【図面の簡単な説明】
【００１８】
【図１】原稿サイズと記憶領域の関係を示す概念図である。
【図２】従来技術の問題点を説明する原稿サイズと記憶領域の関係を示す概念図である。
【図３】本発明の実施形態に係る原稿読取装置の画像処理の概要を示す概念図である。
【図４】本発明の一実施形態にかかる原稿読取装置の情報処理系統を示すブロック図である。
【図５】本発明の位置実施形態にかかる原稿読取装置の断面図である。
【図６】本発明の実施形態に係る原稿読取装置の画像処理手順の概要を示すフローチャートである。
【発明を実施するための形態】
【００１９】
以下，図面を参照して，本発明を具体化した一実施形態について説明して，本発明の理解に供する。
図５に示すように，本発明の一実施形態に係る原稿読取装置Ｘでは，原稿台１０に載置された原稿Ｄは，その一番上層の原稿Ｄから順に分離送りローラ１２によって前方の反転ローラ１４に向けて送り出される。送り出された原稿Ｄは，反転ローラ１４の表面を通過して約１８０度搬送方向を変え，原稿排紙トレイ１６に向け送り出される。
前記反転ローラ１４の下方には，ランプＬなどを備えた原稿読取部２７が設けられている。原稿読取部２７は，ランプＬなどの光学系１８を備えており，ランプＬから発した光は，反転ローラ１４に巻きついて送られる原稿Ｄに照射され，原稿Ｄから反射された原稿像に対応する光線が，ミラーＭ１，Ｍ２，Ｍ３を経てＣＣＤなどの画像検知部２０に至る。２２は，光線を前記画像検知部２０に集光させるためのレンズである。
前記原稿台１０の原稿Ｄを分離送りローラ１２に送り出す直前には，前記原稿ガイド（不図示）が設けられており，載置された原稿Ｄの送り基準位置を，搬送される原稿Ｄの主走査方向の読取最大幅の中央に設定する。
【００２０】
上記した分離送りローラ１２，反転ローラ１４などの動作部材を駆動するモータなどを制御する制御部１を中心とする制御系統の概要が図４に示されている。
図４に示すように，制御部１は中央処理ユニットＣＰＵを中心に構成され，ＣＰＵには記憶部３，各種入力作業や表示を行う表示・入力部５，搬送方向幅検知部７などの入力部が接続され，画像処理部９，印刷部１１などを含んでいる。
前記表示入力部５には原稿種類入力部１３，混載情報入力部１５などが設けられている。なお，これらは表示・入力部５の一部をなす既存のテンキーや各種入力ボタンなどで構成されている。
また，前記記憶部３は，ハードディスクなどによって構成されており，この原稿読取装置を制御するプログラムの他，基本原稿記憶部１７，原稿サイズ記憶部１９，原稿情報記憶部２１，読取画像記憶部２３などの記憶領域を備えている。
但し，この実施形態において前記従来装置と異なる点は，搬送される原稿Ｄの副走査方向の幅を検知する搬送方向幅検知手段の一例としての搬送方向幅検知部７（図４，５参照）が，原稿Ｄの搬送経路上に設けられ，搬送される原稿Ｄの一枚，一枚についての搬送方向の幅（長さ）を検出している点，及び，原稿Ｄの副走査方向（搬送方向）の幅に対応する原稿Ｄの種類を記憶する原稿情報記憶部２１が記憶部３に設けられている点である。
【００２１】
まず図３に示した概念図を用いて，本発明における画像処理部９を用いて制御部１が実行する画像処理の概略的内容について説明し，その後，具体的な処理手順を説明する。
この実施形態では，図３（ａ）に示すように，Ａ４Ｒ，Ｆｏｌｉｏなどの原稿Ｄが搬送途中で前記画像読取部１７において順次読み取られ，その画像データは前記記憶部３に設けられた読取画像記憶部２３に記憶される。記憶された画像データが出力される場合には，読取画像記憶部２３に記憶された画像データは，前記画像処理部９に送られ，所定の画像処理を経て印刷部１１で印字出力される。出力処理は，上記印字処理に限らず，単にデータとして出力する場合もあることは，前記の通りである。
読み取られて記憶された原稿に対応する画像情報は所定の読取画像記憶部２内に設定された記憶領域の前記原稿ガイドで規制された読取最大幅の中央に記憶されると共に，上記読取画像記憶部２３に記憶された画像情報が出力される。
【００２２】
前記画像処理部９での処理内容の概要が，図３（ｂ）〜（ｅ）に示される。
例えば，２２０ｍｍ×３３０ｍｍのＦｏｌｉｏ原稿が供給されることを想定して，Ｆｏｌｉｏが原稿種として原稿種類入力部１３から入力されている状態で，実際にはＡ４Ｒの定型原稿が供給された場合を示すのが（ｂ）である。
この場合，原稿の読み取り処理及びその記憶処理までは，前記した従来と同様であり，供給が予想される最大記憶領域として２２０ｍｍ×３３０ｍｍの領域Ｆが確保され，その主方向中心にＡ４Ｒの定型原稿の領域Ａに読取画像が記憶される。
【００２３】
そしてこの実施形態では，原稿Ｄが搬送途中（読取の前後いずれでもよい）において，搬送されつつある原稿Ｄの搬送方向の長さが搬送方向幅検知部７によって検知され，ＣＰＵに伝えられる。画像処理部９は，この幅情報を用いて原稿情報記憶部２１に記憶された原稿幅情報を検索する。さらに画像処理部９は，検索によって抽出された原稿の種類を用いて前記原稿サイズ情報記憶部１９を検索し，搬送中の原稿Ｄのサイズ（Ａ４Ｒ）を検出する。その結果，画像処理部９は，読取処理された原稿Ｄの実際の主走査方向のサイズ（２１０ｍｍ）を知ることができることになる。
そこで画像処理部９は，図３（ｂ）に示されたように，確保されている最大サイズ（２２０ｍｍ×３３０ｍｍ）に対応する記憶領域Ｆから，実際の読み取られた原稿（Ａ４Ｒ２１０ｍｍ×２９７ｍｍ）を最大サイズの領域Ｆの主走査方向の幅の中心Ｙを基準としてＡ４Ｒの存在する領域を切り取ることができる。この場合，ＣＰＵは，実際の読み取られた原稿のサイズを認識しているので，従来のように最大サイズの領域の端部に沿った領域から切り取る必要がなく，実際に読み取られて記憶された領域Ａ（図３（ｂ）のグレーで示した領域）を切り取ればよいので，図２に示したような従来技術における画像の欠けを生じる心配がない。
この場合，領域Ｆの端部に着目した図３（ｃ）に示すように，２２０ｍｍの幅から２１０ｍｍの領域を切り出すので，片側５ｍｍの部分に実際に使用されない領域が残るが，わずかであるので大きい不経済にはならない。
【００２４】
図３（ｄ）の場合は，Ｆｏｌｉｏ原稿を供給する設定であったのにＡ４Ｒ（２１０ｍｍ×２９７ｍｍ）とＢ５Ｒ（１８２ｍｍ×２５７ｍｍ）の２種類の原稿が実際に混載され，読み取られた場合を示す。
Ａ４Ｒについては，前記（ｂ），（ｃ）の場合と同様である。混載の場合，前記原稿ガイドを用いて原稿位置の規制が行われるが，複数種類の原稿を混載する場合には小さいサイズの原稿は前記原稿ガイドの一方端部に片寄せてセットされるので，Ｂ５Ｒの原稿の読取画像は，図３（ｄ）のように大きいサイズの原稿（Ａ４Ｒ）の読取画像と同じ端部に形成される。画像処理部９は，このことに基づいて，Ｂ５Ｒのように小さい画像については，大きい画像（Ａ４Ｒ）と共通の端部Ｇ１と基準としてＢ５Ｒの画像を切り取る。これにより，Ｂ５Ｒの画像についても画像の切れが生じることはない。
【００２５】
この実施形態では，原稿Ｄの搬送途中で原稿Ｄの搬送方向の幅を検出することで原稿Ｄの種類を判別するようにしている。これは，混載の場合，原稿台１０上では，小さい原稿の搬送方向の幅を検出できないからである。一方，画像の切り出し処理には時間がかかるので，切り出し処理にかかる時間と原稿の読取処理にかかる時間の合計が原稿の連続搬送における1枚の原稿に掛かる時間より長い場合には，原稿の搬送を遅くしなければならなくなり，効率が低下するので，原稿の出力処理については，全ての原稿についての読み取りと切り出しが終了してから行うことが望ましく，上記図６に示した手順もその例である。
ただし，切り出し処理にかかる時間と原稿の読取処理にかかる時間の合計が原稿の連続搬送における1枚の原稿に掛かる時間より短い場合には，原稿搬送の時間内に切り出し出力処理を行い効率化を促進することが望ましい。
【００２６】
上記画像処理の制御部１による詳細な処理手順は図６によって示される。
以下の説明中，Ｓ１，Ｓ２…は処理手順の識別子である。
この手順は，一般の原稿読取処理の一部として，読取処理の開始と共にスタートする。
なお，この原稿読取装置が読み取るものとして予め定められた原稿の種類（例えば，Ａ４，Ａ４Ｒ，Ｂ５，Ｂ５Ｒなど）は，基本原稿記憶部１７に予め記憶されているものとする。
制御部１はまず，Ｓ１において表示・入力部５の原稿種類入力部１３から，読取原稿の種類，即ちサイズが入力されたかどうかを判断する。入力された原稿の種類は一旦記憶部３の所定の領域に記憶され（Ｓ２），処理がＳ３に進められる。
原稿の種類が入力されていない場合にも，処理がＳ３に進められる。
【００２７】
Ｓ３では，前記表示・入力部５の混載情報入力部１５から，これから行われる読取処理が混載状態からの読み取りであるか否か，即ち混載情報が入力されたかどうかが判断される。
混載情報が入力されない場合には，通常の原稿読取処理として処理される（Ｓ４）。
【００２８】
混載情報が入力されたと判断された場合には，制御部１は，原稿サイズがＳ１において入力されているならば，その入力された原稿の種類と，もともと前記基本原稿記憶部に予め記憶されている原稿の種類とから，これらの各々の原稿の種類に対応するサイズを前記原稿サイズ記憶部１９から取得し，取得したサイズに基づいて決定される「供給が予想される最大サイズの記憶領域（Ｆ）」を前記読取画像記憶部２３内に確保する（Ｓ５）。このように供給が予想される最大サイズの記憶領域を前記読取画像記憶部２３内に確保する機能を達成するプログラムが記憶領域設定手段の一例である。
【００２９】
こうして供給が予想される最大サイズの前記記憶領域（Ｆ）が確保されると，続いて原稿の搬送動作が開始される（Ｓ６）。即ち，前記分離送りローラ１２，反転ローラ１４などの回転が開始され，原稿台１０上の原稿が一枚ずつ分離されて原稿読取部２７の方向に送り出される。
原稿の搬送が開始され，原稿の後側端部が，前記搬送方向幅検知部７を通過すると，原稿の前端の通過から後端の通過までの時間が検出されるので，搬送された原稿の実際の搬送方向の幅（長さ）が検出される（Ｓ７）。
また，原稿が原稿読取部２７に差し掛かると原稿の読み取りが開始される（Ｓ８）。
原稿の読み取りと前後して，制御部１は，Ｓ７で検出された原稿の搬送方向長さに基づいて前記原稿情報記憶部２１に記憶された原稿の種類を検知する。更に制御部１は，検知された原稿の種類に基づいて前記原稿サイズ記憶部１９から搬送されている原稿のサイズ（主走査方向）を検知し，検知された原稿サイズに対応するサイズの記憶領域（Ａ）に，読み取った原稿画像を記憶すると共に，その原稿の記憶位置と原稿の識別子を記憶する（Ｓ９）。
こうして，１枚目の原稿についての読み取り及び読み取った画像データの記憶処理が終了すると，次に，原稿台１０上に次の原稿があるか否かを不図示の原稿検知センサからの情報に基づいて判断し，原稿がなければ処理を終了し，原稿があれば，処理をＳ６に戻して，次の原稿についての読取及び記憶処理を原稿がある限り継続する。
以上で，原稿台１０上の全ての原稿についての記憶位置と原稿の識別子の記憶が終了すると，原稿読取装置Ｘとしての処理を終了しても良く，その後，適宜の時期に前記のように記憶された原稿の記憶領域（Ａ）とそれに対応する原稿の識別子とから原稿画像を切り取って出力する（Ｓ１１）。
【００３０】
上の実施形態では，前記搬送方向幅検知部７によって搬送される原稿の副走査方向の幅を検知し，検知された原稿の副走査方向の幅に基づいて前記原稿情報記憶部２１に記憶された原稿の種類を検知し記憶することを，各原稿の読み取り毎に行い，検知された原稿の種類に基づいて前記原稿サイズ情報記憶部１９から検知される原稿のサイズに従って，前記記憶領域から実際に搬送された原稿の領域を切り出して出力することを，全ての原稿についての読み取りが終了した後に行うようにしているが，読み取りと切り出しの速度が非常に速い場合には，原稿の読取と平行して切り出し出力を行っても良い。
【産業上の利用可能性】
【００３１】
本発明は，スキャナやファクシミリに用いられる原稿読取装置のほか，複写機や複合機などに用いられる原稿読取装置に好適に適用可能である。
【符号の説明】
【００３２】
Ｘ…原稿読取装置
Ｄ…原稿
１…制御部
３…記憶部
５…表示・入力部
９…画像処理部
１１…印刷部
１３…原稿種類入力部
１５…混載情報入力部
１７…基本原稿記憶部
１９…原稿サイズ記憶部
２１…原稿情報記憶部
２３…読取画像記憶部
２７…原稿読取部
【図１】
2011211526.tif 000003
【図２】
2011211526.tif 000004
【図３】
2011211526.tif 000005
【図４】
2011211526.tif 000006
【図５】
2011211526.tif 000007
【図６】
2011211526.tif 000008